(57)【要約】【課題】従来の構成では、網制御装置が提供するサービスや機能をユーザ毎あるいは機器毎に柔軟に変更できないという課題があった。【解決手段】サーバー４側に、網制御装置２の表示および動作に関する設定、コンテンツ情報の配信に関する設定、機器制御に関する設定の少なくともひとつを、ユーザ毎、機器毎もしくは網制御装置毎に記憶・管理し、その設定情報に基づいてコンテンツサーバー部１０および制御サーバー部１１を管理・制御するとともに、設定情報を網制御装置へ送信する設定サーバー部１２を備え、網制御装置２側に、サーバー通信部２０が受信した設定情報に基づいて機器制御部２２もしくは表示制御部２１の少なくとも一方の動作設定を変更させる設定管理部２３を備える。これらの構成により、網制御装置２の機器制御やコンテンツ表示に関する機能の設定を、サーバー４側から行うことができる。【選択図】図１
2006058268.tif 000002
【特許請求の範囲】
【請求項１】
機器と通信を行う機器通信部と、サーバーと通信を行うサーバー通信部と、前記サーバー通信部が受信した機器制御情報に基づいて、前記機器通信部を制御して機器の状態モニタや制御を行い、その結果を前記サーバー通信部によりサーバーへ返信させる機器制御部と、前記サーバー通信部が受信したコンテンツ情報および前記機器通信部により機器から取得した情報の少なくとも一方を表示する表示制御部と、前記サーバー通信部が受信した設定情報に基づいて前記機器制御部もしくは前記表示制御部の少なくとも一方の動作設定を変更させる設定管理部を備えたことを特徴とする網制御装置。
【請求項２】
網制御装置の表示および動作に関する設定、コンテンツ情報の通信に関する設定、機器の制御に関する設定の少なくともひとつを、ユーザ毎、機器毎もしくは網制御装置毎に記憶・管理すると伴に、前記網制御装置へ対応する設定情報を送信する設定サーバー部と、前記設定サーバー部に記憶・管理されている設定情報に基づいて、網制御装置に対してコンテンツ情報の通信を行うコンテンツサーバー部と、前記設定サーバー部に記憶・管理されている設定情報に基づいて、網制御装置に対して機器制御情報の通信を行う制御サーバー部を備えたことを特徴とするサーバー。
【請求項３】
コンテンツサーバー部は、
（１）ポップアップ広告（設定した日時に網制御装置の表示制御部に表示させる広告）、
（２）バナー広告（網制御装置の表示制御部の一部に常時表示する広告）、
（３）問い合わせ広告（問い合わせ内容やクーポン情報を電子メールで送信する広告）、（４）お知らせ情報（広告情報以外にユーザに知らせる情報）
の少なくともひとつを管理し、
設定サーバー部は、前記（１）〜（４）のコンテンツ配信の有無、内容、種類、メールの送信先、メールの送信内容の少なくともひとつについて、ユーザ毎に設定情報として記憶・管理し、その設定情報を前記コンテンツサーバー部および網制御装置へ送信・提供することを特徴とする請求項２記載のサーバー。
【請求項４】
制御サーバーは、
（Ａ）宅外制御機能（携帯電話・パソコンなどの端末機器からの機器制御・機器モニタに関する指示情報を受け付け、網制御装置に前記指示情報に応じた機器制御情報の通信を行う機能）、
（Ｂ）機器情報通知機能（網制御装置から受信した機器モニタ情報や機器制御情報を、電子メールで送信する機能）
の少なくとも一方を持ち、
設定サーバーは、前記（Ａ）、（Ｂ）の機能の有無、内容、メールの送信先、メールの送信内容、認証情報の少なくともひとつについて、ユーザ毎あるいは機器毎に設定情報を記憶・管理し、その情報に基づいて前記制御サーバーを管理・制御するとともに、その設定情報を網制御装置へ送信することを特徴とする請求項２記載のサーバー。
【請求項５】
機器はガスメータであり、機器通信部は機器制御部の指示にしたがってガスメータと通信を行い、遮断・復帰などの機器制御や検針・状態取得などの機器モニタを行うことを特徴とする請求項１記載の網制御装置。
【請求項６】
請求項１または５記載の網制御装置の少なくとも一部をコンピュータに実現させるためのプログラム。
【請求項７】
請求項２〜４のいずれか１項記載のサーバーの少なくとも一部をコンピュータに実現させるためのプログラム。
【発明の詳細な説明】
【技術分野】
【０００１】
本発明は、網制御装置（ＮＣＵ）および、網制御装置と情報の送受信を行なうサーバー装置に関するものである。
【背景技術】
【０００２】
従来、この種のシステムは、例えば、特許文献１のような構成が多い。図７は、前記特許文献１に記載された従来の網制御装置（ＮＣＵ）およびサーバーの構成を示すものである。
【０００３】
網制御装置１０２（ＮＣＵ）は、保安監視サーバー１０４およびメータ１０３や宅内表示装置１０１と通信を行う。保安監視サーバー１０４は、メータ１０３からの検針データの受信・管理、メータ１０３の制御（遮断、復帰など）、宅内表示装置１０１で表示する情報の入力・管理を行う。
【０００４】
保安監視サーバー１０４で入力された情報（表示コンテンツ、制御指示など）は、公衆回線を利用した通信により網制御装置１０２で受信される。網制御装置１０２は、受信した情報の種別に応じて、その情報を宅内表示装置１０１もしくはメータ１０３へ送信する。宅内表示装置１０１やメータ１０３は、それぞれ受信したデータに応じて情報表示や制御を行う。
【０００５】
例えば、保安監視サーバー１０４に入力された表示コンテンツ情報は、網制御装置１０２に送信され、宅内表示装置１０１で表示される。また、保安監視サーバー１０４で入力されたメータ遮断などの制御情報は網制御装置１０２に送信され、メータ１０３で実行される。
【特許文献１】特開平１１−２３０８０８号公報
【発明の開示】
【発明が解決しようとする課題】
【０００６】
しかしながら、前記従来の構成では、網制御装置が提供する機能やサービスを、ユーザ毎あるいは機器毎に柔軟に変更や停止ができないという課題を有していた。
【０００７】
本発明は、前記従来の課題を解決するもので、サーバー側で柔軟にサービスの変更や停止ができる網制御装置を提供することを目的とする。
【課題を解決するための手段】
【０００８】
前記従来の課題を解決するために、本発明は、サーバー側に網制御装置の表示および動作に関する設定、コンテンツ情報の通信に関する設定、機器制御に関する設定の少なくともひとつを、ユーザ毎、機器毎もしくは網制御装置毎に記憶・管理し、その設定情報に基づいてコンテンツサーバー部および制御サーバー部を管理・制御するとともに、設定情報を網制御装置へ送信する設定サーバー部を備え、網制御装置側に、サーバー通信部が受信した設定情報に基づいて機器制御部もしくは表示制御部の少なくとも一方の動作設定を変更させる設定管理部を備える。これらの構成により、網制御装置の機器制御やコンテンツ表示に関する機能の設定を、サーバー側から行うことができる。
【発明の効果】
【０００９】
本発明の網制御装置およびサーバーを用いることにより、網制御装置がユーザに提供する機器制御、機器モニタ、コンテンツ表示に関する機能の有無や、その内容を、サーバーからユーザ毎あるいは機器毎に柔軟に設定することができる。これにより、ユーザに応じた適切なサービスの提供や、たとえば課金状況に応じたサービスの開始や停止がサーバーからコントロールできると伴に、サーバー側でサービスの種類や内容を柔軟に変更することができる。
【発明を実施するための最良の形態】
【００１０】
第１の発明は、網制御装置中に、機器と通信を行う機器通信部と、サーバーと通信を行うサーバー通信部と、サーバー通信部が受信した機器制御情報に基づいて機器通信部を制御し、機器の状態モニタや制御を行い、その結果をサーバー通信部によりサーバーへ返信させる機器制御部と、サーバー通信部が受信したコンテンツ情報および機器通信部により機器から取得した情報の少なくとも一方を表示する表示制御部を備え、設定管理部が、サーバー通信部が受信した設定情報に基づいて機器制御部もしくは表示制御部の少なくとも一方の動作設定を変更させる。これにより、サーバーからの指示で、網制御装置がユーザに提供する機器制御サービスやコンテンツサービスを柔軟に変更することができる。
【００１１】
第２の発明は、網制御装置の表示および動作に関する設定、コンテンツ情報の配信に関する設定、機器制御に関する設定の少なくともひとつを、ユーザ毎、機器毎もしくは網制御装置毎に記憶・管理すると伴に、網制御装置へ対応する設定情報を送信する設定サーバー部と、設定サーバー部に記憶・管理されている設定情報に基づいて、網制御装置に対してコンテンツ情報の通信を行うコンテンツサーバー部と、設定サーバー部に記憶・管理されている設定情報に基づいて網制御装置に対して機器制御情報の通信を行う制御サーバー部を備えたサーバーである。この設定サーバー部により、サーバー側で網制御装置が提供するサービス内容を十分に管理でき、さらに、コンテンツサービスを行うコンテンツサーバ部と機器制御サービスを行う制御サーバー部の動作も管理することが可能となる。
【００１２】
第３の発明は、第２発明において、コンテンツサーバー部は、（１）ポップアップ広告（設定した日時に網制御装置の表示制御部に表示させる広告）、（２）バナー広告（網制御装置の表示制御部の一部に常時表示する広告）、（３）問い合わせ広告（問い合わせ内容やクーポン情報を電子メールで送信する広告）、（４）お知らせ情報（広告情報以外にユーザに知らせる情報）の少なくともひとつを管理し、設定サーバー部は、（１）〜（４）のコンテンツ配信の有無および内容、種類、メールの送信先、メール送信内容について、ユーザ毎に設定情報を記憶・管理し、その情報をコンテンツサーバー部を送信・提供するとともに、設定情報を網制御装置へ送信する。この構成により、さまざまなサービス形態の広告情報やお知らせ情報をユーザ毎に変更して配信することが可能となる。
【００１３】
第４の発明は、第２の発明において、制御サーバーは、（Ａ）宅外制御機能（携帯電話・パソコンなどの端末機器からの機器制御・機器モニタに関する指示情報を受け付け、その情報にしたがって網制御装置に機器制御情報の通信を行う機能）、（Ｂ）機器情報通知機能（網制御装置から受信した機器モニタ情報や機器制御結果情報を、電子メールで送信する機能）の少なくとも一方を持ち、設定サーバーは、（Ａ）、（Ｂ）の機能の有無、内容について、ユーザ毎あるいは機器毎に設定情報を記憶・管理し、その情報に基づいて前記制御サーバーを管理・制御するとともに、設定情報を網制御装置へ送信する。この構成により、機器の宅外制御や機器モニタ制御などの機器制御サービスをユーザ毎に変更して提供することが可能となる。
【００１４】
第５の発明は、特に、第１の発明において、機器をガスメータとし、機器通信部は機器制御部の指示にしたがってガスメータと通信を行い、遮断・復帰などの機器制御や検針・状態取得などの機器モニタを行う。この構成により、ガスメータの状態モニタや制御（遮断、復帰など）のサービスを、ユーザ毎にさまざまに変更可能となる。
【００１５】
第６の発明は、第１または第５の発明に記載の網制御装置のすべてもしくは一部をコンピュータに実現させるためのプログラムである。プログラムであるので電気・情報機器、コンピュータ等のハードリソースを協働させて用いて本発明の網制御装置の一部あるいは全部を容易に実現することができる。また、記録媒体に記録したり通信回線を用いてプログラムを配信したりすることでプログラムの配布やインストール作業が簡単にできる。
【００１６】
第７の発明は、第２〜第４のいずれか１つの発明に記載のサーバーのすべてもしくは一部をコンピュータに実現させるためのプログラムである。プログラムであるので電気・情報機器、コンピュータ等のハードリソースを協働させて用いて本発明のサーバーの一部あるいは全部を容易に実現することができる。また、記録媒体に記録したり通信回線を用いてプログラムを配信したりすることでプログラムの配布やインストール作業が簡単にできる。
【００１７】
以下、本発明の実施の形態について、図面を参照しながら説明する。なお、本実施の形態によって本発明が限定されるものではない。
【００１８】
（実施の形態１）
図１は、本発明の全体構成を示した図である。
【００１９】
図１において、機器１はユーザの宅内に設置された一般的な機器や装置である。本実施の形態では、ガスメータやセンサー機器を機器１の例として使用した場合を説明する。ガスメータ１は家庭や会社などで利用されるガスの使用量を計測する装置である。
【００２０】
センサー機器１’は、ガス漏れ警報機や、侵入センサなどの異常状態の検出装置である。機器１としては、他の機器でも良く、例えば、（ａ）エアコン、換気扇、送風機、ファンヒータ等の空調機器、（ｂ）給湯器、床下暖房機、電力メータ、水道メータ、ドアホン等の設備機器、（ｃ）洗濯機、電子レンジ等の白物家電機器等でも良い（ビデオ、テレビ、パソコン等のＡＶ家電機器でも良い）。
【００２１】
網制御装置２は、機器１およびサーバー４との通信を行い、サーバー４からの指示に応じて機器１のモニタや制御、そして情報表示を行う装置である。なお、網制御装置２はＮＣＵ（Ｎｅｔｗｏｒｋ  Ｃｏｎｔｒｏｌ  Ｕｎｉｔ）とも呼ばれる。網制御装置２は、具体的には、ガスメータ１に対して、検針を行って使用量を取得したり、弁の遮断や復帰などの制御や、弁状態のモニタをしたりすることができる。センサー機器１’に対しては、現在の動作状態（例えば、オン／オフ等）のモニタや、動作状態の設定変更を行うことができる。
【００２２】
なお、機器１と網制御装置２の間の通信は、図１では有線通信（電灯線、ツイストペア線等）としているが、無線通信（赤外線、小電力無線、無線ＬＡＮ等）でも良い。
【００２３】
宅内上位通信装置３は、網制御装置２をインターネット網等の宅外通信網と接続するためのモデムやルータ等の機器である。具体的な構成としては、ＡＤＳＬルータ、ＣＡＴＶモデム、ＩＳＤＮダイアルアップルータ、光ファイバーの回線終端装置、メディアコンバータ、ホームＰＮＡ装置、ルータ、スイッチングハブ等である。なお、図１では宅内上位通信装置３は１つの構成のように図示しているが、例えばスプリッタとＡＤＳＬルータのように、構成が複数台に分かれていても良い。
【００２４】
網制御装置２と宅内上位通信装置３は、ＩＥＥＥ  ８０２．３規格に基づく有線のＬＡＮで接続されており、ＴＣＰ／ＩＰプロトコルに基づく通信を行う（なお、ＩＥＥＥ８０２．１１に基づく無線のＬＡＮ接続や、他の通信方法、他の通信回線でもかまわない）。
【００２５】
サーバー４は複数の網制御装置２と通信を行う。通信により、各網制御装置２に接続している機器１（メータやセンサー機器など）の制御・モニタを行うと伴に、コンテンツ情報の配信を行う。また、サーバー４は携帯電話８などの端末機器に対する通信や、管理端末５からの設定をも受け付ける。サーバー４は、コンテンツサーバー部１０、制御サーバー部１１、設定サーバー部１２で構成されている。
【００２６】
コンテンツサーバー部１０は、網制御装置２で表示させるためのコンテンツ情報を記憶・管理している。本実施の形態では、以下の４種類のコンテンツ情報を用いる。
（１）ポップアップ広告：これは、設定サーバー部１２で設定した日時に、網制御装置２の表示制御部２１に表示させる広告情報である。ポップアップ広告は、ＨＴＭＬやＸＭＬなどのマークアップ言語で書かれたファイルや、画像ファイル、音声ファイルなどから構成されている。
（２）バナー広告：網制御装置２の表示制御部２１の表示エリアの一部に常時表示する広告情報である。網制御装置２には、コンテンツ表示だけでなく、機器１の制御やモニタのための画面も表示する。バナー広告は、コンテンツ表示画面だけでなく、他の機器制御画面についても、その画面の一部に常時表示する広告である。これは一般に画像ファイルとして構成される。
（３）問い合わせ広告：問い合わせ内容やクーポン情報を電子メールで送信する広告情報である。これは、ＨＴＭＬやＸＭＬなどのマークアップ言語で書かれた広告に、メールを送信するスクリプトプログラムが付随したものである。送信先、送信内容などは、設定サーバー部１２で管理する。
具体的には、（３−１）網制御装置２において、ユーザが広告を閲覧した場合や、広告表示時にユーザが何らかの入力操作を行った場合に、所定の問い合わせ内容とユーザ情報をメールの形で広告主に送信したり、（３−２）あらかじめ設定された送信先に、所定のクーポン情報を送信する動作を行う。問い合わせ内容やクーポン情報は送信内容の一例であり、これらは設定サーバー部１２で設定する。
（４）お知らせ情報：お知らせ情報とは、上述した（１）〜（３）のような広告情報以外の情報である。例えば、ニュース、天気、時刻表などのくらし情報、サーバーの停止などのメンテナンス情報など、さまざまな情報が含まれる。
【００２７】
なお、これら（１）〜（４）の情報は、ユーザが住むエリアや、機器１や網制御装置２の販売店、担当者などの分類で管理する。
【００２８】
制御サーバー部１１は、以下の２つの機能を持つ。
（Ａ）宅外制御機能：携帯電話８からのアクセス（ＨＴＴＰやＨＴＴＰＳ通信によるＷＥＢアクセス）を受け付け、その内容に応じて網制御装置２を介して機器１の制御・モニタを行う機能。
（Ｂ）機器情報通知機能：網制御装置２が取得した機器１のモニタ情報、制御情報を受信し、その情報をユーザへ電子メールで通知する機能。
【００２９】
本実施の形態の携帯電話８はＷＥＢブラウザ機能を有し、ＨＴＭＬコンテンツを表示できるとする。なお、ＨＴＭＬ以外のコンパクトＨＴＭＬ、ＷＭＬなどの他のマークアップ言語で書かれたコンテンツを表示させても良い。また、携帯電話８の代用として、ＰＤＡ，パソコンなどの端末機器も有効である。
【００３０】
本実施の形態では、制御サーバー部１１はＷＥＢサーバー機能を有し、携帯電話８で表示する機器制御用のＨＴＭＬコンテンツを保持する。このコンテンツには、通常のＨＴＭＬファイルや画像だけでなく、ＣＧＩなどのプログラムも含まれる。
【００３１】
制御サーバー部１１からの電子メール送信には、メールサーバー部６を用いる。メールサーバー部６はＳＭＴＰ（Ｓｉｍｐｌｅ  Ｍａｉｌ  Ｔｒａｎｓｆｅｒ  Ｐｒｏｔｏｃｏｌ）やＰＯＰ（Ｐｏｓｔ  Ｏｆｆｉｃｅ  Ｐｒｏｔｏｃｏｌ）などのプロトコルをサポートする一般的なインターネット用の電子メールサーバーである。制御サーバー部１１は、ＳＭＴＰコマンドを利用してメールサーバー部６へアクセスし、電子メールを送信する。なお、制御サーバー部１１に、このメールサーバー部６の機能を組み込んで同一の構成としても良い。
【００３２】
設定サーバー部１２は、網制御装置２の表示および動作に関する設定、コンテンツ情報の配信に関する設定、機器制御に関する設定などを、ユーザ毎、機器毎もしくは網制御装置毎に記憶・管理している。
【００３３】
コンテンツ情報の設定としては、上述した（１）〜（４）のコンテンツ情報について、配信の有無、コンテンツの内容、種類、メール送信先、メール送信内容がある。また、機器制御に関する設定としては、上述した（Ａ）、（Ｂ）の機能の有無、内容、メール送信先、メール送信内容などについて設定している。設定情報は、コンテンツサーバー部１０や制御サーバー部１１へ送信されると伴に、網制御装置２へも送信する。
【００３４】
管理端末５は通常のパソコンである。管理端末５は設定サーバー部１２に接続されており、オペレータは管理端末５を用いて、設定サーバー部１２中の上記した各種設定の新規追加、変更、削除を行う。
【００３５】
図２は、網制御装置２の詳細構成を示した図である。サーバー通信部２０は、ＩＥＥＥ  ８０２．３に基づくＬＡＮ通信を利用して宅内上位通信装置３と通信を行うことにより、インターネット等の公衆通信網を介して、サーバー４とデータの送受信を行う通信装置である。
【００３６】
表示制御部２１は、液晶デバイスなどの表示部とその制御回路から構成されている。サーバー通信部２０を介してコンテンツサーバー部１０と通信を行い、取得したコンテンツ情報の表示や、機器１の制御のためのガイド画面や制御結果の表示を行う。
【００３７】
本実施の形態では、表示制御部２１は、通常のグラフィックユーザインタフェースの表示機能以外に、ＷＥＢブラウザ機能を有しており、サーバーから取得したＨＴＭＬコンテンツや画像ファイルを表示できる。
【００３８】
なお、本実施の形態では、表示制御部２１には液晶デバイスを用いたが、ＥＬデバイス、ＣＲＴデバイスなどの他の表示デバイスを用いても良い。また、ＷＥＢブラウザ機能については、音声ファイルを再生する機能や、スクリプトプログラムなどを実行する機能を有しても良い。
【００３９】
なお、表示制御部２１は、ポップアップ広告（サーバー４で指定された時刻に広告を表示する機能）のために、現在日時を管理する機能を持つ。
【００４０】
機器制御部２２は、サーバー通信部２０を介して制御サーバー部１１と通信を行い、機器制御や機器モニタに関する情報の送受信を行う。
【００４１】
設定管理部２３は、サーバー通信部２０を介して設定サーバー部１２と通信を行い、コンテンツ表示や機器制御・機器モニタに関する設定情報を取得して、表示制御部２１および機器制御部２２へ設定情報を送信する。
【００４２】
機器通信部２４は、機器１（本実施の形態では、ガスメータやセンサー機器）に対して通信を行い、制御やモニタを行うための通信装置である。
【００４３】
なお、本実施の形態では網制御装置２と機器１との間の通信は有線通信としているが、無線通信にしてもよい。この方式によって、機器通信部２４の構成は異なる。
【００４４】
以上のように構成された網制御装置２およびサーバー４について、各部の動作を図３〜５のフローチャートを用いて説明する。
【００４５】
図３のフローチャートは、網制御装置２の起動時の動作を示している。動作を順に説明する。
【００４６】
（ステップＡ１）網制御装置２の設定管理部２３は、サーバー通信部２０を制御して、サーバー４中の設定サーバー部１２へ接続する。設定管理部２３は、あらかじめ設定された所定のＩＤ情報を設定サーバー部１２へ送信し、設定サーバー部１２から、そのＩＤに対応した設定情報を通信により取得する。
【００４７】
なお、ここでのＩＤ情報とは、網制御装置毎あるいはユーザ毎に付与されたユニークな情報であり、設置時に網制御装置２中の設定管理部２３に設定する。また、設定情報とは、上記した（１）〜（４）のコンテンツサービスの有無、内容、メール関係の設定情報や、（Ａ）（Ｂ）の機器制御サービスの有無、内容、メール関係の設定情報、各種認証情報などである。コンテンツを取得するためのＵＲＬ情報なども、この設定情報に含まれる。
【００４８】
（ステップＡ２）設定管理部２３は、取得した設定情報を表示制御部２１および機器制御部２２へ送信する。なお、設定管理部２３中のＩＤ情報についても同様に送信する。
【００４９】
（ステップＡ３）機器制御部２２は、設定管理部２３から取得した設定情報により動作内容を設定する。具体的には、上述した（Ａ）（Ｂ）などのサービス種別、内容や、機器１の種類により機器制御部２２が制御サーバー部１１に送信する内容などを設定する。
【００５０】
（ステップＡ４）表示制御部２１は、コンテンツサーバー部１０と通信する。表示制御部２１は、コンテンツサーバー部１０との通信開始時にＩＤ情報を送信する。ここでのＩＤ情報はステップＡ１で利用したものと同じものである。そして、ステップＡ２で設定管理部２３から得た設定情報にしたがって、必要なコンテンツ情報を取得する。
【００５１】
一方、コンテンツサーバー部１０は、受信したＩＤ情報にしたがって適切なコンテンツ情報を網制御装置２側へ送信する。なお、表示制御部２１は、設定情報および取得したコンテンツ情報に応じて表示を変更する。
【００５２】
図４のフローチャートは、サーバー４の動作を示している。動作を順に説明する。
【００５３】
（ステップＢ１）オペレータは管理端末５を操作して設定サーバー部１２にアクセスし、ユーザ毎にユニークなＩＤ情報を付与し、そのそれぞれにサービス内容の設定を行う。サービス内容設定とは、上記した（１）〜（４）のコンテンツサービスの有無や内容、アクセス先（ＵＲＬ）や、上記した（Ａ）（Ｂ）の機器制御サービスの有無や内容、認証情報など、さまざまな種類がある。ＩＤやサービス内容の設定は、ユーザ毎だけでなく、機器毎、網制御装置毎に行っても良い。サービス内容設定は、網制御装置２の設置前に行う必要がある。なお、ＩＤ情報は、ステップＡ１で説明した設定管理部２３中のＩＤ情報と同じものであり、整合をとるように運用する必要がある。なお、ＩＤ情報はここではユーザ毎に付与としたが、網制御装置毎でも良い。
【００５４】
（ステップＢ２）サーバー４は、網制御装置２からの通信の受信待ちを行う。受信が無ければステップＢ２を繰り返す。網制御装置２からの通信を受信した場合は、ステップＢ３へ進む。
【００５５】
（ステップＢ３）網制御装置２は図３のフローチャートで説明したように、処理に応じて通信先のサーバーを変更する。このステップでは、網制御装置２からの通信が、どのサーバー部へ送信されたかで処理を分岐する。通信先が、コンテンツサーバー部１０、制御サーバー部１１、設定サーバー部１２の場合、それぞれ、ステップＢ５、ステップＢ７、ステップＢ４へ進む。
【００５６】
（ステップＢ４）このステップは、網制御装置２から設定サーバー部１２へ通信があった場合の処理を示している。ステップＡ１で説明したように、網制御装置２中の設定管理部２３は、設定サーバー部１２への通信の開始時に、ＩＤ情報を設定サーバー部１２に送信する。設定サーバー部１２は、受信したＩＤ情報をキーとして検索し、ＩＤに対応する設定情報を取得する。取得した設定情報は設定管理部２３に対して返信する。動作終了後は、ステップＢ２に戻り、網制御装置２からの受信待ちを行う。
【００５７】
（ステップＢ５）このステップは、網制御装置２からコンテンツサーバー部１０へ通信があった場合の処理を示している。ステップＡ４で説明したように、表示制御部２１はコンテンツサーバー部１０へＩＤ情報を送信する。コンテンツサーバー部１０は、取得したＩＤ情報を設定サーバー部１２に対して送信し、サービスの問い合わせ処理を行う。設定サーバー部１２は、ＩＤ情報をキーとして設定情報を検索し、割り当てられたコンテンツ関連の設定情報をコンテンツサーバー部１０に返信する。
【００５８】
（ステップＢ６）コンテンツサーバー部１０は、設定サーバー部１２から得られたコンテンツ関連のサービス設定にしたがって、必要に応じて動的にコンテンツを生成する。具体的には、サーバー側アプリケーション（ＣＧＩ，サーブレットなど）を利用して、網制御装置２やユーザ、機器１に応じたコンテンツ情報（（１）ポップアップ広告、（２）バナー広告、（３）問い合わせ広告、（４）お知らせ情報など）を生成して、網制御装置２中の表示制御部２１へ送信する。
【００５９】
なお、動的にコンテンツを作成するのでは無く、静的に固定なコンテンツをサービスに応じて選択して送信する方式でも良い。なお、広告やお知らせの元データとなる文章や画像、音声などの情報は、事前にコンテンツサーバーに登録しておく必要がある。
【００６０】
（ステップＢ７）このステップは、網制御装置２から制御サーバー部１１へ通信があった場合の処理を示している。機器制御部２２は、表示制御部２１と同様にＩＤ情報を制御サーバー部１２に送信する。ステップＢ５と同様に、このＩＤ情報を設定サーバー部１２に対して送信し、対応する設定情報を取得する。ただし、ここでの設定情報は、機器制御や機器モニタに関連するものだけである。
【００６１】
（ステップＢ８）設定サーバー部１２から得られたサービス設定に基づき、制御サーバー部１１は処理を行う。例えば、あるユーザもしくはある網制御装置２に対して（Ｂ）機器情報通知機能が選択されている場合、制御サーバー部１１は、ステップＢ７で受信したデータを対応するユーザに対して電子メールで送信する。電子メール送信は、制御サーバー部１１がメールサーバー部６に対して送信指示を送ることにより行う。
【００６２】
なお、送信先のメールアドレスや送信文言などは、設定サーバー部１２にユーザ毎に記憶・管理されており、ステップＢ７で取得する。ステップＢ８終了後は、ステップＢ２に戻り、網制御装置２からの受信待ちを行う。
【００６３】
なお、（Ａ）宅外制御機能が設定されている場合の制御サーバー部１１の動作は、図５のフローチャートで説明する。
【００６４】
次に、図５のフローチャートの説明を行う。図５は、前述したように、携帯電話８から機器１を制御する宅外制御時における、制御サーバー１１の動作を示したものである。以下、ステップ順に説明する。
【００６５】
（ステップＣ１）制御サーバー１１は携帯電話８からの通信待ち受けを行う。制御サーバー１１は機器制御用のコンテンツを持つＷＥＢサーバー機能を有する。ユーザは、携帯電話８のＷＥＢブラウザ機能を用い、所定のＵＲＬを入力することで制御サーバー１１と通信を行い、制御サーバー部１１中のコンテンツを閲覧することができる。制御サーバー部１１は、このユーザからの通信を受信すればステップＣ２へ進み、無ければステップＣ１を繰り返す。
【００６６】
（ステップＣ２）携帯電話８からの通信を受信した場合、制御サーバー部１１は、まず、ユーザ認証に関するコンテンツ（画面）を携帯電話８へ送信して表示させる。この画面例を図６（ａ）に示す。ここでは、ユーザに対してＩＤとパスワードを要求している。このＩＤとパスワードは、ユーザ毎に設定される。この設定は、オペレータにより管理端末５を用いて設定サーバー部１２に記憶される。
【００６７】
なお、本実施の形態では、ＩＤやパスワードなどの認証情報は、ユーザ毎に設定されるとしたが、網制御装置２毎や機器１毎でも良い。また、ここでのＩＤ情報は、設定管理部２３で設定するＩＤ情報と同一のものでも良い。ただし、ユーザ毎にユニークに付与されるものであれば、別のものでも構わない。なお、本実施の形態では同一のものとする。
【００６８】
（ステップＣ３）ユーザから入力されたＩＤ、パスワード情報を制御サーバー部１１は受信し、その値を設定サーバー部１２に送る。設定サーバー部１２は、ＩＤ／パスワードに対応するユーザを検索し、そのユーザに割り当てられている機器制御関連のサービスの有無とその内容などを取得して、制御サーバー部１２へ返信する。
【００６９】
なお、ＩＤ／パスワードの組が設定サーバー部１２に登録されていなかった場合、設定サーバー部１２はエラー情報を制御サーバー部１１へ送信する。この場合、制御サーバー部１１は携帯電話８側にエラー表示を行い、処理を終了させる。
【００７０】
（ステップＣ４）制御サーバー部１１は、ステップＣ３で取得した機器制御関係のサービスの有無、内容にしたがって機器制御・機器モニタに関する画面を生成する。具体的には取得したサービス情報から、ＣＧＩなどのサーバー側アプリケーションを利用してＨＴＭＬコンテンツを動的に生成し、そのコンテンツを携帯電話８に送信する。
【００７１】
コンテンツ（画面）例を図６（ｂ）に示す。この例は、機器１としてガスメータ、機器１’としてセンサー機器が網制御装置２に接続されており、ユーザに対して、機器モニタ項目設定ではガス使用状況確認がサービスとして設定されており、機器制御項目設定としてはガス遮断、ガス復帰、センサー警戒設定のサービスが割り当てられている例である。
【００７２】
ユーザは、携帯電話８を操作し、この画面で表示されている項目を選択する（図中で下線を引いた項目が、ユーザが選択できる項目である）。この画面中の項目は、設定サーバー部１２から得たサービス内容設定によって変化させる。
【００７３】
（ステップＣ５）制御サーバー部１１は、ユーザが携帯電話８の画面で選択した項目を受信し、それらに対応する機器制御指示、機器モニタ指示を網制御装置２中の機器制御部２２へ送信する。
【００７４】
（ステップＣ６）網制御装置２中の機器制御部２２は、ステップＡ３で起動時に設定サーバー部１２から取得したサービス内容と、受信した機器モニタ指示や機器制御指示に矛盾が無く、整合性が取れているかどうかを確認する。例えば、網制御装置２の起動時に、設定管理部２３が「ガスメータ関連の機器制御でガス遮断指示というサービス」が割り当てられていることを受信していなければ、機器制御部２２にガス遮断指示がきた場合、整合性は取れていないと判断する。
【００７５】
（ステップＣ７）ステップＣ６での整合性検査に基づき、機器制御部２２は処理を分岐させる。整合性のある通常のケースはステップＣ８へ遷移し、そうでなければステップＣ９へ遷移する。
【００７６】
（ステップＣ８）このステップは、整合性が取れている場合の動作である。機器制御部２２は、制御サーバー部１１から取得した指示にしたがって、機器通信部２４を介して機器１のモニタや制御を行う。機器モニタや機器制御の結果は、ステップＢ８と同様に制御サーバー部１１へ返信する。
【００７７】
（ステップＣ９）このステップは、整合性が取れていない場合の動作である。機器制御部２２はエラー応答を制御サーバー部１１へ返信する。
【００７８】
（ステップＣ１０）制御サーバー部１１は、ステップＣ８もしくはステップＣ９で得た機器制御部１２からの応答を受信し、その内容を携帯電話で表示させたり、もしくは、電子メールで送信する。
【００７９】
携帯電話での表示例を図６（ｃ）に示す。図６（ｃ）の例は、（ｂ）中の「ガス遮断」を選択したときの結果表示例である。制御サーバー部１１は、機器制御部１２からの応答から、ＣＧＩがＨＴＭＬを動的に作成し、携帯電話８に表示させる。
【００８０】
ステップＣ１からＣ１０までの動作で、ひととおりの宅外制御動作が完了する。ステップＣ１０の後、制御サーバー部１１はステップＣ１に戻り、再度受信待ち受けを行う。
【００８１】
以上の説明してきた動作により、本発明では、網制御装置２がユーザに提供する機器制御や機器モニタ、コンテンツ表示に関する機能の有無や、その内容を、設定サーバー１２から、ユーザ毎、機器１毎、網制御装置２毎に適切に設定することができる。これにより、ユーザに応じた適切なサービスを提供できる。
【００８２】
なお、本実施の形態の網制御装置２は、表示制御部２１および入力部２５を内蔵した構成となっているが、表示制御部２１と入力部２５を外付けにしても良い。また、バナー広告は画像ファイルとしたが、動画像ファイルや、ＨＴＭＬなどのマークアップ言語などで記載された情報、スクリプトプログラム等でも良い。
【００８３】
なお、図４のステップＢ２でサーバーは制御装置からの受信待ちをしているが、サーバーから制御装置に問い合わせを行ってもよい。
【００８４】
なお、本実施の形態で説明した各部は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８５】
以上のように、本発明にかかる網制御装置、サーバーおよびそのプログラムでは、網制御装置が行うコンテンツサービスや機器制御サービスをサーバー側から自由に設定できる。これは、網制御装置だけでなく設備機器のリモコンやルータ機器等にも適用できる。
【図面の簡単な説明】
【００８６】
【図１】本発明の実施の形態１における全体構成を示す図
【図２】本発明の実施の形態１における網制御装置の構成図
【図３】本発明の実施の形態１における網制御装置のフローチャート
【図４】本発明の実施の形態１におけるサーバーのフローチャート
【図５】本発明の実施の形態１における宅外制御時のフローチャート
【図６】本発明の実施の形態１における携帯電話の画面例を示す図
【図７】従来例の全体構成を示す図
【符号の説明】
【００８７】
１  機器
２  網制御装置
３  宅内上位通信装置
４  サーバー
５  管理端末
６  メールサーバー部
８  携帯電話
１０  コンテンツサーバー部
１１  制御サーバー部
１２  設定サーバー部
２０  サーバー通信部
２１  表示制御部
２２  機器制御部
２３  設定管理部
２４  機器通信部
２５  入力部
【図１】
2006058268.tif 000003
【図２】
2006058268.tif 000004
【図３】
2006058268.tif 000005
【図４】
2006058268.tif 000006
【図５】
2006058268.tif 000007
【図６】
2006058268.tif 000008
【図７】
2006058268.tif 000009